(57)【要約】【課題】動画を含む電子化文書であっても動画の再生を行う時間を確保してページ送りを行うようにすることで、ユーザの利便性を向上させた表示装置を提供する。【解決手段】情報量検出部４２は、ディスプレイ部５２の表示画面に表示させる１ページ分の表示情報に含まれる情報量を検出する。時間設定部４３は、検出された文字情報の量に基づき、ディスプレイ部５２に１ページ分の表示情報を表示してから次のページに切り替えるまでのページ送り時間を設定する。そして情報量検出部４２は、１ページ分の表示情報に動画が含まれていることを検出した際に、検出した動画の再生時間を取得する。時間設定部４３は、１ページ分の表示情報に動画が含まれていることが検出された場合、文字情報の量に基づき設定したページ送り時間に、情報量検出部４２が取得した動画を再生する時間を加えて、ページ送り時間を更新する。【選択図】図１
2013225190.tif 000002
【特許請求の範囲】
【請求項１】
表示部と、該表示部に表示させる表示情報の表示を制御する表示制御部と、前記表示部の表示画面に表示させる１ページ分の表示情報に含まれる情報量を検出する情報量検出部と、該情報量検出手段が検出した前記１ページ分の表示情報に含まれる文字情報の量に基づき、前記表示部に表示情報の１のページを表示してから次のページに切り替えるまでのページ送り時間を設定する時間設定部と、を有する表示制御装置において、
前記情報量検出部は、前記１ページ分の表示情報に動画が含まれていることを検出した際に、該検出した動画の再生時間を取得し、
前記時間設定部は、前記１ページ分の表示情報に動画が含まれていることが検出された場合、前記文字情報の量に基づき設定したページ送り時間に、前記情報量検出部が取得した前記動画の再生時間を加えて、前記ページ送り時間を更新することを特徴とする表示装置。
【請求項２】
請求項１に記載の表示装置において、
ユーザの操作入力を受け付ける操作入力部を備え、
前記表示制御部は、前記１ページ分の表情報に動画が含まれていることが検出され、前記再設定したページ送り時間で表示情報を前記表示部に表示させているときに、前記更新したページ送り時間を更に延長する指示を行うための延長指示部を前記表示部に表示させ、
前記延長指示部の表示に応じて前記ページ送り時間を更に延長する操作入力が前記操作入力部になされた場合、前記表示制御部は、前記更新したページ送り時間を更に所定時間延長することを特徴とする表示装置。
【請求項３】
請求項２に記載の表示装置において、
前記表示部の表示画面に１ページ分の表示情報を表示させたときからの時間を計時する時間計時部を有し、
前記表示制御部は、前記ページ送り時間の残量が所定値に達したときに、前記延長指示部を前記表示部に表示させることを特徴とする表示装置。
【発明の詳細な説明】
【技術分野】
【０００１】
本発明は、表示装置、より詳細には、複数ページからなる電子化文書をページ送りしながら表示させる表示装置に関する。
【背景技術】
【０００２】
電子化されたコンテンツを記憶部から読み出して、表示部に表示させる表示装置が様々な機器やシステムに適用されている。
例えば、機器の操作方法をその機器の記憶部に予め記憶させておき、ユーザ操作に従ってその操作方法を表示させる機器がある。このような場合、操作方法を説明する説明文書が複数ページに渡り、一回の表示では全てのページを表示できない場合には、表示画面上でページ送りを行いながら、必要なページを表示させる必要がある。ページ送りを行いながら電子化された文書等を読む場合、通常はユーザがページ送りや戻しの操作を行って、任意にページを切り替えながら必要な文書等を表示させる。
【０００３】
また、複数のページからなる電子化文書を表示させる装置やシステムでは、ページ送り／戻し、所定ページへの読み飛ばし、あるいは所定語彙の検索といった、様々なユーザ支援機能が適用される。例えば、電子書籍などでは、電子化文書をユーザが読む際に、予め設定した一定時間毎（例えば、３０秒）に自動的にページ送りを行う自動ページ送り機能が備えられる場合が多い。
【０００４】
また、表示画面のページ送りに関しては、１ページ分の文書情報に含まれるテキストコード数を計測し、そのテキストコード数に応じた時間を自動的に設定してページ送りを行う自動ページ送り制御が知られている。
例えば、特許文献１に開示されている表示切換制御装置は、ブックメモリにテキストコードと改ページを表す改ページコードとを含む文書情報を記憶しておき、操作部がこのブックメモリから改ページコードを検出するまでの１ページ分の文書情報を読み出して表示バッファへ書き込む。そして表示コントローラが１ページ分の文書情報に含まれるテキストコード数に応じた表示時間を発生する。表示時間が経過した場合、表示タイマは操作部を更新動作させ、次ページ分の文書情報を表示バッファへ書き込ませる。
【先行技術文献】
【特許文献】
【０００５】
【特許文献１】特開平７−１６０６９４号広報
【発明の概要】
【発明が解決しようとする課題】
【０００６】
しかしながら、昨今の電子化文書は、挿絵として動画がページ内に含まれている場合があり、一律に一定の速度でページ送りを行うと、動画を含むページなどでは文書情報を十分に確認することができない場合が生じる。
また、特許文献１に記載の技術ように、１ページのテキストコードの数によりページ送りの時間を設定する場合であっても、テキストのみから構成される電子化文書にはある程度対応することができるが、動画を含む電子化文書の場合には、ユーザが動画に気を取られていてテキストを読み終わる前にページ送りが行われたり、動画の再生時間が長い場合、再生の途中でページが送られる問題が生じる。
【０００７】
本発明は、上述のごとき実情に鑑みてなされたものであり、動画を含む電子化文書であっても動画の再生を行う時間を確保してページ送りを行うようにすることで、ユーザの利便性を向上させた表示装置を提供することを目的とするものである。
【課題を解決するための手段】
【０００８】
上記課題を解決するために、本発明の第１の技術手段は、表示部と、該表示部に表示させる表示情報の表示を制御する表示制御部と、前記表示部の表示画面に表示させる１ページ分の表示情報に含まれる情報量を検出する情報量検出部と、該情報量検出手段が検出した前記１ページ分の表示情報に含まれる文字情報の量に基づき、前記表示部に表示情報の１のページを表示してから次のページに切り替えるまでのページ送り時間を設定する時間設定部と、を有する表示制御装置において、前記情報量検出部は、前記１ページ分の表示情報に動画が含まれていることを検出した際に、該検出した動画の再生時間を取得し、前記時間設定部は、前記１ページ分の表示情報に動画が含まれていることが検出された場合、前記文字情報の量に基づき設定したページ送り時間に、前記情報量検出部が取得した前記動画の再生時間を加えて、前記ページ送り時間を更新することを特徴としたものである。
【０００９】
第２の技術手段は、第１の技術手段において、ユーザの操作入力を受け付ける操作入力部を備え、前記表示制御部は、前記１ページ分の表情報に動画が含まれていることが検出され、前記再設定したページ送り時間で表示情報を前記表示部に表示させているときに、前記更新したページ送り時間を更に延長する指示を行うための延長指示部を前記表示部に表示させ、前記延長指示部の表示に応じて前記ページ送り時間を更に延長する操作入力が前記操作入力部になされた場合、前記表示制御部は、前記更新したページ送り時間を更に所定時間延長することを特徴としたものである。
【００１０】
第３の技術手段は、第２の技術手段において、前記表示部の表示画面に１ページ分の表示情報を表示させたときからの時間を計時する時間計時部を有し、前記表示制御部は、前記ページ送り時間の残量が所定値に達したときに、前記延長指示部を前記表示部に表示させることを特徴としたものである。
【発明の効果】
【００１１】
本発明によれば、動画を含む電子化文書であっても動画の再生を行う時間を確保してページ送りを行うようにすることで、ユーザの利便性を向上させた表示装置を提供することができる。
【図面の簡単な説明】
【００１２】
【図１】本発明による表示装置を備えた画像形成装置のシステム構成例を示す図である。
【図２】ディスプレイ部に表示させる表示情報の一例を示す図である。
【図３】ディスプレイ部に表示させる表示情報に動画情報が含まれているときの表示例を説明するための図である。
【図４】本発明による表示装置の処理の流れの一例を示すフローチャートである。
【図５】本発明による表示装置の処理の流れの一例を示すフローチャートで、図４に続く図である。
【発明を実施するための形態】
【００１３】
図１は、本発明による表示装置を備えた画像形成装置の構成例を示す図である。
画像形成装置１は、例えばその操作方法等に係る電子化文書を記憶保持しておき、その電子化文書を本発明に係る表示装置の実施形態により表示させるものである。電子化文書を表示させる際には、表示装置によって、ページ毎の表示時間が適切に設定され、特に動画を含む電子化文書の場合には、その動画の再生時間を考慮して各ページの表示時間が設定されるため、ユーザが電子化文書に応じて確実に各ページの内容を確認することができる。
【００１４】
図１において、画像形成装置１は、画像読み取り部１０、画像処理部２０、印字部３０、制御部４０、操作部５０、および記憶部６０を備える。
操作部５０は、透明抵抗膜方式のタッチパネル部５１と、液晶表示パネルおよびそのバックライトからなるディスプレイ部５２と、接触接点を用いたハードキーから成る操作キー部５３とから構成されている。
【００１５】
タッチパネル部５１は、ディスプレイ部５２と略同じサイズでディスプレイ部５２に重ねて設けられる。そして画像形成装置１を操作するためのＧＵＩ（グラフィカルユーザインタフェース）をディスプレイ部５２に表示させ、タッチパネル部５１より該当箇所をタッチすることで入力操作を行うことを可能とする。タッチパネル部５１は、操作キー部５３と共に、受け付けたユーザ操作を受け付けるもので、制御部４０は、そのユーザ操作に応じて画像形成装置１の動作を制御する。
【００１６】
制御部４０は、ディスプレイ部５２の表示を制御する表示制御部４１、ディスプレイ部に表示している文字数を計数する情報量検出部４２、ページ送りまでの時間を設定する時間設定部４３、ページ送りまでの時間をカウントする時間計時部４４、及び操作部５０に対する入力状態を監視する入力監視部４５を含んでいる。また、情報量検出部４２は、表示している文字数のみならず、動画コンテンツの有無の判断と、動画コンテンツの再生時間の読み取りを行う。
【００１７】
画像読み取り部１０は、図示しない原稿より光学的に画像を読み取り、画像処理部２０に読み取った画像を出力する。画像処理部２０は、制御部４０の制御により、画像読み取り部１０にて読み取られた画像を印字部３０にて印字するために必要な画像処理を行う。印字部３０は、画像処理部２０で画像処理された画像を記録紙等の媒体に印字する。
記憶部６０は、ディスプレイ部５２に情報を表示するための表示フォーマット６１が複数記憶されると共に、表示フォーマット６１に従って表示する表示情報６２が記憶されている。表示情報６２は、動画情報６２ａを含むことができる。表示情報６２は、例えば画像形成装置１の操作方法を説明する説明書に係る電子化文書の情報である。
【００１８】
本発明に係る表示装置の一実施形態は、画像形成装置１に備えられている。表示装置は、本発明の表示部に相当するディスプレイ部５２と、本発明の操作入力部に相当するタッチパネル部５１および操作キー部５３と、制御部４０とによって実現される。制御部４０は、ディスプレイ部５２に表示させる表示情報の表示を制御する表示制御部４１と、ディスプレイ部５２の表示画面に表示させる１ページ分の表示情報に含まれる情報量を検出する情報量検出部４２と、情報量検出部４２が検出した１ページ分の表示情報に含まれる文字情報の量に基づき、ディスプレイ部５２に表示情報の１のページを表示してから次のページに切り替えるまでのページ送り時間を設定する時間設定部４３と、を有する。
そして情報量検出部４２は、１ページ分の表示情報に動画が含まれていることを検出した際に、検出した動画の再生時間を取得する。動画の再生時間は、動画のデータ自体に埋め込まれている再生時間情報を用いて取得することができる。時間設定部４３は、１ページ分の表示情報に動画が含まれていることが検出された場合、文字情報の量に基づき設定したページ送り時間に、情報量検出部４２が取得した動画を再生する時間を加えて、ページ送り時間を更新する。
【００１９】
図２は、ディスプレイ部５２に表示させる表示情報の一例を示す図である。
制御部４０の表示制御部４１は、操作キー部５３やタッチパネル部５１に対するユーザの操作入力に応じて、記憶部６０に記憶された表示情報６２をディスプレイ部５２に表示させる。この表示情報６２は、複数ページからなる電子化文書からなるもので、ページ毎にディスプレイ部５２に表示させ、ページ送りを行って順次各ページの表示情報を表示させることができる。
【００２０】
表示情報６２の１ページ分がディスプレイ部５２に表示されると、制御部４０の情報量検出部４２は、ディスプレイ部５２に表示された表示情報６２の文字数を抽出する。そして時間設定部４３は、情報量検出部４２が抽出した文字数に基づき、ページ送りまでの時間を設定する。時間の設定に関しては、例えば、ベースとする１０秒に対して、更に１文字当たり０.１秒を加算した時間を設定する。
【００２１】
図２の例の場合、ディスプレイ部５２には、表示情報のタイトルである「操作方法」の文字１０１と、操作方法の説明に係る文書の文字１０２とが表示される。ここでは、タイトルの「操作方法」の文字１０１を除き、ページ毎の文字情報として５５文字の文字１０２が表示される。この場合、時間設定部４３では、ベースの１０秒に対して、１文字当たり０.１秒を加算した時間、すなわち１０＋（５５×０.１）＝１５.５秒をページ送りの設定時間として設定する。つまり、このページを表示している時間は、その文字情報の量から１５.５秒であり、ページの表示開始から１５.５秒が経過すると、自動的にページ送りがなされて次のページの表示情報が表示されることになる。
【００２２】
また、図２の表示例では、ディスプレイ部５２には、ディスプレイ部５２に表示させる表示情報の全体のページ数と現在表示中のページ数とを示すページ情報１０３が表示される。さらに、時間設定部４３で設定されたページ送りまでの残時間１０４が表示される。残時間１０４の表示に関しては、図２に示すように、グラフィックによりその時間の進行状態を表示してもよいし、例えば「残り１０秒」のように数値にて残時間を表示してもよい。
【００２３】
図３は、ディスプレイ部５２に表示させる表示情報に動画情報が含まれているときの表示例を説明するための図である。ディスプレイ部５２に表示させる表示情報としては、図３に示すようにその一部に動画情報を含むものもある。動画情報は動画表示部１０６ａに表示される。動画を含むページを表示しているときに、動画表示部１０６ａは、例えば動画表示部１０６ｂ、１０６ｃ、１０６ｄのように変化する。
【００２４】
動画を含むページを表示するときには、情報量検出部４２は、対象となる動画の再生時間を動画のデータに埋め込まれている再生時間情報から取得する。そして、時間設定部４３は、ページ毎の文字情報に基づいて設定したページ送りまでの設定時間に対して、取得した動画の再生時間を加算し、ページ送りまでの設定時間として更新する。つまり、表示情報に動画を含む場合には、自動的に行うページ送りまでの時間を、そのページの文字情報の量と、動画の再生時間とに基づいて決定する。これにより、動画再生を考量したページ送りを行うことができ、動画が見終わらないうちにページ送りが行われることを防ぐことができる。
【００２５】
さらに、動画を含むページを表示する場合、ページ送りの時間を延長するための時間延長釦１０５を表示させることができる。ここでは、表示制御部４１が動画を含む表示情報をディスプレイ部５２の画面に表示さると、時間計時部４４は、現在のページの表示からの時間を計測し、ページ送りまでの設定時間までの時間のカウントを開始する。そして表示制御部４１は、時間計時部４４に計測されるページ送りまでの残時間が所定時間以下となった場合、ページ送りまでの時間の延長を指示するための時間延長釦１０５を表示させる。時間延長釦１０５は、本発明でページ送り時間を更に延長する指示を行うために表示させる延長指示部に相当する。
【００２６】
入力監視部４５は、時間延長釦１０５に応じた送り時間を延長する操作入力、つまり時間延長釦１０５の表示部分のタッチパネル部５１が操作されか否かを判断し、時間延長釦１０５に応じた操作入力がなされた場合、時間設定部４３は、ページ送りまでの残時間を延長する処理を行う。延長の時間としては、例えば２０秒等の固定の時間であってもよいし、最初に設定したページ送りの時間の２０％等の一定の割合の時間等としてもよい。
このように、１ページ分の表示情報に動画が含まれている場合、時間設定部４３は、文字情報の量に基づき設定した時間に、動画の再生時間を加えてページ送りまでの時間を設定し、さらにユーザ操作によって時間延長が指示された場合には、さらにそのページ送りまでの時間を延長することができる。これにより、動画を含む電子化文書であっても動画の再生を行う時間を確実に確保してページ送りを行うようにすることができ、ユーザの利便性を向上させることができるようになる。
【００２７】
図４〜図５は、本発明による表示制御装置の処理の流れの一例を示すフローチャートである。図１の構成を参照しながら以下に説明する。
まず、制御部４０の表示制御部４１は、ディスプレイ部５２に表示させる表示フォーマット６１を記憶部６０から読み出し（ステップＳ１）、さらに読み出した表示フォーマット６１にて表示する表示情報６２を記憶部６０から読み出す（ステップＳ２）。
【００２８】
次に制御部４０の情報量検出部４２は、ディスプレイ部５２に表示する表示情報６２の文字数を抽出する（ステップＳ３）。そして時間設定部４３は、情報量検出部４２が抽出した文字数に基づき、ページ送りまでの時間を設定する（ステップＳ４）。
時間の設定に関しては、例えば、ベースとする１０秒に対して、更に１文字当たり０.１秒を加算した時間を設定する。
【００２９】
そして、制御部４０の情報量検出部４２は、ディスプレイ部５２に表示させる表示情報６２に動画を含むか否かを判断する（ステップＳ５）。情報量検出部４２が表示情報６２に動画が含まれると判断した場合には、対象となる動画の再生時間を動画情報から取得する（ステップＳ６）。動画の再生時間は、動画のデータ自体に埋め込まれている再生時間情報を用いて取得することができる。時間設定部４３は、ステップＳ４で設定されたページ送りまでの設定時間に対して、取得された動画の再生時間を加算し、ページ送りまでの設定時間を更新する（ステップＳ７）。
【００３０】
そして表示制御部４１は、表示情報６２をディスプレイ部５２の画面に表示させる（ステップＳ８）。このときに表示情報６２に動画が含まれていれば、動画の再生を行いながら表示情報６２を表示させる。
また、表示制御部４１は、ディスプレイ部５２にページ毎に順次表示させる表示情報６２の全体のページ数と、現在表示しているページ数とを、現在／全体ページ数の形式で表示させる（ステップＳ９）。そして、時間計時部４４は、現在のページの表示からの時間を計測し、ページ送りまでの設定時間までの時間のカウントを開始する（ステップＳ１０）。
表示制御部４１は、ディスプレイ部５２の画面にページ送りまでの残時間を表示させる（ステップＳ１１）。
【００３１】
表示制御部４１は、時間計時部４４に計測されるページ送りまでの残時間が所定時間以下となったか否かを判断し（ステップＳ１２）、所定時間以下となっていない場合には、そのまま待機し、残り時間が所定時間以下に達した場合、ディスプレイ部５２の画面に、ページ送りまでの時間の延長を指示するための時間延長釦を表示させる（ステップＳ１３）。
そして、入力監視部４５は、時間延長釦が操作されたか否かを判断し（ステップＳ１４）、時間延長釦が操作された場合には、時間設定部４３は、ページ送りまでの残時間を延長する処理を行う（ステップＳ１７）。延長の時間としては、例えば２０秒等の固定の時間であってもよいし、最初に設定したページ送りの時間の２０％等の一定の割合の時間等としてもよい。そして表示制御部４１は、ディスプレイ部５２の画面から時間延長釦を消去し（ステップＳ１８）、ステップＳ１２に戻る。
【００３２】
ステップＳ１４で時間延長釦が操作されない場合、時間計時部４４は、ページ送りまでの設定時間が経過したか否かを判断する（ステップＳ１５）。つまり、残時間が０となって無くなったか否かを判断する。ページ送りまで設定時間が経過していなければ、ステップＳ１４に戻って時間延長釦の操作を判断する。
また、ページ送りまでの設定時間が経過した場合、表示制御部４１は、現在表示しているページが、表示すべき表示情報の最後のページであるかを判断する（ステップＳ１６）。表示しているページが最後のページではない場合、ステップＳ１に戻り、次のページの表示フォーマットを読み出す処理を開始する。つまりページ送り処理が行われる。
また、ステップＳ１６で、表示しているページが表示すべき表示情報の最後のページであれば、その表示情報の表示処理を終了させる。
【００３３】
上記の処理により、様々な情報を画面表示する表示装置において、動画を含む電子化文書であっても動画の再生を行う時間を確保してページ送りを行うようにし、さらにユーザ操作に応じてページ送り時間を延長するので、使い勝手がよく高い利便性を有する表示装置を提供することができる。
【符号の説明】
【００３４】
１…画像形成装置、２０…画像処理部、３０…印字部、４０…制御部、４１…表示制御部、４２…情報量検出部、４３…時間設定部、４４…時間計時部、４５…入力監視部、５０…操作部、５１…タッチパネル部、５２…ディスプレイ部、５３…操作キー部、６０…記憶部、６１…表示フォーマット、６２…表示情報、１０１…文字、１０２…文字、１０３…ページ情報、１０４…残時間、１０５…時間延長釦、１０６ａ〜１０６ｄ…動画表示部。
【図１】
2013225190.tif 000003
【図２】
2013225190.tif 000004
【図３】
2013225190.tif 000005
【図４】
2013225190.tif 000006
【図５】
2013225190.tif 000007